(57)【要約】【課題】簡易迅速に遊技機の後傾角度を調整できる後傾角度調整装置１０を提供すること。【解決手段】遊技機島３０の上下両枠３１，３３間に遊技機４０を上端側が後方に所定角度で傾斜するように取り付けるため上枠３３に設置する遊技機の後傾角度調整装置１０であって、遊技機島３０の上下両枠３３のいずれか一方に固定されるベースプレート１２，５１に立設固定した支持軸１４，５３に回転可能に組み付けられ、支持軸１４，５３から各辺までの間隔がそれぞれに異なる後方傾斜角度に対応するように設定された多角形の外形を有する係止片１３，５２を備え、係止片１３，５２のいずれか１辺に遊技機４０，７０の裏面上端部又は裏面下端部を係止することにより遊技機４０，７０を位置決めしてその後方傾斜角度を設定する。【選択図】図２
2008100015.tif 000002
【特許請求の範囲】
【請求項１】
遊技機島の上下両枠間に遊技機を上端側が後方に所定角度で傾斜するように取り付けるため前記上下両枠のいずれか一方に設置する遊技機の後傾角度調整装置であって、
遊技機島の上下両枠のいずれか一方に固定されるベースプレートに立設固定した支持軸に回転可能に組み付けられ、支持軸から各辺までの間隔がそれぞれに異なる後方傾斜角度に対応するように設定された多角形の外形を有する係止片を備え、係止片のいずれか１辺に遊技機の裏面上端部又は裏面下端部を係止することにより遊技機を位置決めしてその後方傾斜角度を設定するようにしたことを特徴とする遊技機の後傾角度調整装置。
【請求項２】
前記係止片を回転操作して遊技機の裏面上端部又は裏面下端部が係止する係止片の一辺を選択したときの係止片の回転位置を位置決めする位置決め手段を備えたことを特徴とする請求項１に記載の遊技機の後傾角度調整装置。
【請求項３】
遊技機島の上下両枠間に遊技機を上端側が後方に所定角度で傾斜するように取り付けるため前記上下両枠のいずれか一方に設置する遊技機の後傾角度調整装置であって
遊技機島の上下両枠のいずれか一方に固定されるベースプレートに立設固定した支持軸と、支持軸に固定した正６角形の外形を有するカム片と、前記カム片が遊嵌する断面略円形の凹部を有し、該凹部の中心から各辺までの間隔がそれぞれに異な成る後方傾斜角度に対応するように設定された６角形の外形を有する係止片と、凹部の周辺に固定されカム片の対向する２辺に圧接するように取り付けられた一対の板バネを備え、係止片のいずれか１辺に遊技機の裏面上端部又は裏面下端部を係止することにより遊技機を位置決めしてその後方傾斜角度を設定するようにしたことを特徴とする遊技機の後傾角度調整装置。
【請求項４】
前記係止片の各辺に前記後方傾斜角度を示す数値を表記したことを特徴とする請求項１又は３に記載の遊技機の後傾角度調整装置。
【請求項５】
前記位置決め手段として前記ベースプレートに前記係止片の各辺に対応する凹部を前記支持軸から等距離に係止片の辺の数だけ形成し、前記係止片に少なくとも一箇所の収納穴を形成し、該収納穴にボールとボールを前記ベースプレートに向けて付勢するコイルスプリングを収納し、ボールが凹部の一つに圧接して前記係止片を位置決めするように構成したことを特徴とする請求項２に記載の遊技機の後傾角度調整装置。
【請求項６】
前記係止片の外周部に着脱可能に補助係止片を装着し、補助係止片に遊技機の裏面上端部又は裏面下端部を係止することにより遊技機を位置決めしてその後方傾斜角度を設定するようにしたことを特徴とする請求項１に記載の遊技機の後傾角度調整装置。
【発明の詳細な説明】
【技術分野】
【０００１】
本発明は、遊技機島へパチンコ機などの遊技機を取り付ける際に、遊技機の上端側が所定の角度で後方に傾斜するように遊技機裏面の上端部又は下端部に当接して遊技機を位置決めする遊技機の後傾角度調整装置に関する。
【背景技術】
【０００２】
パチンコ機は遊技機島に取り付ける際、垂直位置から遊技機の上端側を所定角度だけ後方へ傾斜させて設置される。この後傾角度は例えば「３分５厘」、「４分」、「４分５厘」等と称され、数値が大きいほど後傾角度が大きくなる。
【０００３】
所定角度で遊技機を後方へ傾斜させて遊技機島に設置する後傾角度調整装置の一形式として、実開平４−８８９９０号公報には、遊技機の底面部材に遊技機の前後方向に沿って歯列を形成するとともに、歯列に平行な長孔と、歯列に沿って後傾角度を示す目盛りを設け、この歯列に噛み合う歯列を形成した固定片を、長孔を貫通するタップビスで遊技機島の下枠に固定するように構成した後傾角度調整装置が記載されている。
【０００４】
上記した従来の後傾角度調整装置の使用方法は以下の通りである。遊技機の下端部前端を遊技機島の下枠の所定位置に設置し、ついで所定の後傾角度、例えば「３分５厘」に遊技機が後傾するように遊技機の上端部を後方へ傾斜させる。そうしておいて、固定片を「３分５厘」の目盛り位置に合わせて遊技機の底面の歯列と固定片の歯列をかみ合わせ、タップビスで遊技機島の下枠に固定する。
【０００５】
次ぎに、この遊技機を例えば「４分」の後傾角度に調整するには、タップビスを緩め、固定片の目盛り位置が「４分」となるまで遊技機の底面を前方へ微動する。そして、再度タップビスを締め付けて遊技機の底面を遊技機島の下枠に固定する。
【特許文献１】実開平４−８８９９０号公報
【発明の開示】
【発明が解決しようとする課題】
【０００６】
従来の後傾角度調整装置で遊技機を所定の後傾角度に設定するには、タップビスをドライバーで緩めて、遊技機の底面を目盛りに合わせて前後に微動させる。しかしながら、遊技機底面付近は様々な部品が装着されているためごく狭いスペースでドライバーを操作しなければならず、タップビスを緩めたり締め付ける作業は甚だ面倒で手間がかかる。また、目盛りの間隔も狭いため、遊技機を微動させるとき、目盛り合わせも面倒な作業となる。
本発明はかかる問題点に鑑み、簡易迅速に遊技機の後傾角度を調整できる後傾角度調整装置を提供することを目的とする。
【課題を解決するための手段】
【０００７】
上記目的を達成するため請求項１に記載の本発明は、遊技機島の上下両枠間に遊技機を上端側が後方に所定角度で傾斜するように取り付けるため前記上下両枠のいずれか一方に設置する遊技機の後傾角度調整装置であって、遊技機島の上下両枠のいずれか一方に固定されるベースプレートに立設固定した支持軸に回転可能に組み付けられ、支持軸から各辺までの間隔がそれぞれに異なる後方傾斜角度に対応するように設定された多角形の外形を有する係止片を備え、係止片のいずれか１辺に遊技機の裏面上端部又は裏面下端部を係止することにより遊技機を位置決めしてその後方傾斜角度を設定するようにしたことを特徴とする。
そして、好ましくは前記係止片を回転操作して遊技機の裏面上端部又は裏面下端部が係止する係止片の一辺を選択したときの係止片の回転位置を位置決めする位置決め手段を備える。
【０００８】
請求項３に記載の発明は、遊技機島の上下両枠間に遊技機を上端側が後方に所定角度で傾斜するように取り付けるため前記上下両枠のいずれか一方に設置する遊技機の後傾角度調整装置であって、遊技機島の上下両枠のいずれか一方に固定されるベースプレートに立設固定した支持軸と、支持軸に固定した正６角形の外形を有するカム片と、前記カム片が遊嵌する断面略円形の凹部を有し、該凹部の中心から各辺までの間隔がそれぞれに異な成る後方傾斜角度に対応するように設定された６角形の外形を有する係止片と、凹部の周辺に固定されカム片の対向する２辺に圧接するように取り付けられた一対の板バネを備え、係止片のいずれか１辺に遊技機の裏面上端部又は裏面下端部を係止することにより遊技機を位置決めしてその後方傾斜角度を設定するように構成する。
そして、好ましくは、前記係止片の各辺に前記後方傾斜角度を示す数値を表記する。
【０００９】
また、好ましくは、前記位置決め手段として前記ベースプレートに前記係止片の各辺に対応する凹部を前記支持軸から等距離に係止片の辺の数だけ形成し、前記係止片に少なくとも一箇所の収納穴を形成し、該収納穴にボールとボールを前記ベースプレートに向けて付勢するコイルスプリングを収納し、ボールが凹部の一つに圧接して前記係止片を位置決めするように構成する。さらに好ましくは、前記係止片の外周部に着脱可能に補助係止片を装着し、補助係止片に遊技機の裏面上端部又は裏面下端部を係止することにより遊技機を位置決めしてその後方傾斜角度を設定するように構成する。
【発明の効果】
【００１０】
請求項１に記載の発明によれば、係止片を支持軸の回りに回転操作して、多角形の一辺を選択し、選択した一辺に遊技機の裏面上端部又は下端部を係止させることにより、遊技機を選択した一辺に対応する所定の後傾角度で遊技機島に設置することができる。
而して本発明によれば、多角形の係止片を回転するだけの簡単な操作で遊技機を所定の後傾角度に設定できるので、遊技機の後傾角度調整操作が簡易迅速に行える。
そして、係止片の位置決め手段を設けることにより、遊技機の後傾角度調整操作が正確かつより一層簡易迅速に行える。
【００１１】
請求項３に記載の発明によれば、係止片を６角形としたので、係止片を回転操作して一辺を選択することにより６種類の後傾角度のいずれか一つに設定できる。
また、板バネを正６角形の対向する辺に圧接したので、係止片を所望の回転位置にバネの弾力で保持でき、後傾角度の調整作業が一層容易になる。
係止片の各辺に後傾角度を示す数値を表記すれば、数値を目視しながら係止片を回転操作して後傾角度を選択できるので、後傾角度の調整作業がより一層容易になる。
【００１２】
また、係止片の収納穴に収納したボールがベースプレートの凹部の一つに圧接して係止片を位置決めする簡易な構成を採用すれれば、確実に係止片の回転操作位置を選択できる。
さらに係止片の外周部に着脱可能に補助係止片を装着し、補助係止片に遊技機の裏面上端部又は裏面下端部を係止することにより遊技機を位置決めしてその後方傾斜角度を設定するように構成することにより、係止片が当接する部位に切欠部を設けた特殊な遊技機の後傾角度の調整も可能となる。
【実施例】
【００１３】
以下に本発明の第１実施例を図面に基づき説明する。図１には本発明の第１実施例に係る後傾角度調整装置１０を用いて遊技機島３０に設置した遊技機４０が示されている。遊技機島３０の下枠３１に断面Ｌ字形の係止プレート３２が固定され、上枠３３に後傾角度調整装置１０が設置されている。遊技機４０はその裏面下端部を係止プレート３２に係止し、裏面上端部を後傾角度調整装置１０に係止して位置決めされ、底板４１と天板４２を釘でそれぞれ下枠３１と上枠３３に固定して上下両枠３１，３３間に設置されている。そして、遊技機４０は係止プレート３２と後傾角度調整装置１０によって裏面の上下両端を位置決めすることにより上端側が所定角度で後方に傾斜するように設置されている。
【００１４】
後傾角度調整装置１０の詳細を図２〜図４に示す。当該後傾角度調整装置１０は第１ベースプレート１１、第２ベースプレート１２及び６角形の外形を有する係止片１３を備えている。第１ベースプレート１１はベース面１１ａとベース面１１ａに一体に立設した立面１１ｂを有し、ベース面１１ａの両縁及び立面１１ｂに複数の通孔１１ｃが、またベース面には開口１１ｄが形成されている。
【００１５】
第２ベースプレート１２には周縁に沿って複数の通孔１２ａが、また中央後寄りに一個の通孔１２ｂが形成され、中央の通孔１２ｂに支持軸となるボルト１４を挿通し、このボルト１４に正６角形の外形を有するカム片１５が固着されている。このカム片１５には６角ナットが用いられている。カム片１５はボルト１４にネジ付けられている。また、ボルトは１４ナット１６でベースプレート１２に回転不能に締め付けられている。
【００１６】
係止片１３にはボルト１４が貫通する中心孔１３ａ、中心孔１３ａと同心でカム片１５が遊嵌する凹部１３ｂ及び板バネ取付用の２本の細溝１３ｃが形成されている。細溝１３ｃは凹部１３ｂの左右両縁部を横切るように形成され、細溝１３ｃに板バネ１７が圧入されている。一対の板バネ１７は凹部１３ｂに遊嵌されるカム片１５の互いに対向する二つの辺のそれぞれに圧接するように取り付けられている。また、凹部１３ｂは断面略円形を有し、板バネ１７の凹部１３ｂを横切る部分が凹部１３ｂの中で外側へ撓むことができるようにクリアランス１３ｄが形成されている。
【００１７】
係止片は図４に示すように中心孔１３ａから第１辺〜第６辺の各辺までの間隔が互いに異なる寸法に設定れている。一例として、中心孔と第１辺１３ｅの間隔Ｌ１は２０．５６ｍｍ、第２辺１３ｆとの間隔Ｌ２は２１．７６ｍｍ、第３辺１３ｇとの間隔Ｌ３は２３．５２ｍｍ、第４辺１３ｈとの間隔Ｌ４は２５．０ｍｍ、第５辺１３ｉとの間隔Ｌ５は２３．２４ｍｍ、第６辺１３ｊとの間隔Ｌ６は２２．０４ｍｍに設定されている。第１辺１３ｅの側面には後傾角度を示す「４分５厘」の数値が表記されている。同様に、第２辺１３ｆの側面には「４分５厘Ｓ」、第３辺１３ｇの側面には「３分５厘」、第４辺１３ｈの側面には「３分」、第５辺１３ｉの側面には「４分Ｓ」、第６辺１３ｊの側面には「４分」が表記されている。第２ベースプレート１２の通孔１２ｂから後端縁までの間隔は係止片１３の各辺と中心孔１３ａとの間隔のうち最も短い係止片の中心孔１３ａから第１辺１３ｅまでの間隔Ｌ１よりもさらに短く設定されている。
【００１８】
係止辺１３は中心孔１３ａにボルト１４を挿通し、板バネ１７がカム片１５に圧接するように凹部１３ｂにカム片１５を遊嵌し、ボルト１４の先端部に抜け止め用のナット１８を締め付けて第２ベースプレート１２に組み付けられている。
【００１９】
本実施例に係る遊技機の後傾角度調整装置１０の構造は以上の通りであって、次ぎにその使用方法を説明する。図１及び図２に示すように、第１ベースプレート１１の立面１１ｂを遊技機島３０の上枠３３の裏面角隅部に当接し、立面１１ｂの通孔１１ｃにビス１９を通して第１プレート１１を遊技機島３０の上枠３３に固定する。続いて、ボルト２０を第１プレート１１のベース面１１ａの通孔１１ｃと第２ベースプレート１２の両縁の通孔１２ａに挿通し、ナット２１で締め付けて、係止片１３やカム片１５が組み付けられている第２ベースプレート１２を第１ベースプレート１１に固定する。
【００２０】
次に、係止片１３を回転操作し、遊技機４０に付与する後傾角度に対応する辺１３ｅ〜１３ｊを選択する。辺１３ｅ〜１３ｊを選択するには、遊技機島４０の上下両枠３１，３３間に設置される遊技機４０の裏面に辺１３ｅ〜１３ｊが平行になる位置まで係止片１３を回転操作する。
【００２１】
次に、下枠３１に遊技機４０を載置し、遊技機４０の裏面上端部を係止片１３の選択した辺１３ｅ〜１３ｊ、例えば「３分５厘」が表記された辺１３ｇに係止する。
【００２２】
続いて、遊技機４０の裏面上端部を係止片１３に係止した状態で、遊技機４０の下端側を前後に微動し、遊技機４０が選択した後傾角度である「３分５厘」で傾斜する位置を測定器具を用いて確認する。位置確認ができたら、係止プレート３２を遊技機４０の裏面下端部に係止して位置決めし、係止プレート３２をビスで下枠３１に固定する。そして、遊技機の天板４２を遊技機島の上枠３３にビス、釘等で固定し、遊技機４０の底板４１を下枠３１にビス等で固定する。
【００２３】
こうして、選択した後傾角度で遊技機島３０の上下両枠３１，３３間に遊技機４０を設置する。この遊技機４０の後傾角度を変更調節するには、係止プレート３２は下枠３１に固定したまま、遊技機４０の底板４１と天板４２を枠３１，３３に止めているビス等を外し、係止片１３を回転操作して後傾角度を例えば「４分」に選択し直す。そして、再度、遊技機４０の裏面下端部を係止プレート３２に係止させ、遊技機４０の裏面上端部を係止片１３の選択した辺、すなわち「４分」と表記された辺１３ｊに係止させ、ビス等で遊技機４０の底板４１と天板４２を再度下枠３１と上枠３３に固定する。係止片１３の「３分５厘」の辺１３ｇと中心孔１３ａの間隔は２３，２５ｍｍに設定されているのに対し、係止片の「４分」の辺１３ｈと中心孔１３ａとの間隔は２２．０４ｍｍであり、１．２１ｍｍ短いので、遊技機４０の後傾角度は「３分５厘」から「４分」へと増加する。
【００２４】
以上説明したように本実施例に係る遊技機の後傾角度調整装置１０によれば、係止片１３をボルト１４の回りに回転させ、６角形の一辺を選択し、選択した一辺に遊技機４０の裏面上端部を係止させることにより、遊技機４０を選択した一辺に対応する所定の後傾角度で遊技機島３０に設置することができる。そして、多角形の係止片１３を回転するだけの簡単な操作で遊技機４０を所定の後傾角度に設定できるので、遊技機４０の後傾角度調整操作が簡易迅速に行える。
【００２５】
とくに本実施例では係止片１３を６角形としたので、係止片１３を回転操作して一辺を選択することにより６種類の後傾角度のいずれか一つに設定できる。また、板バネ１７を正６角形のカム片１５の対向する辺に圧接したので、係止片１３を所望の回転位置にバネ１７の弾力で保持でき、後傾角度の調整作業が一層容易になる。
【００２６】
さらにまた、係止片１３の各辺に表示された数値を目視しながら係止片１３を回転操作して後傾角度を選択できるので、後傾角度の調整作業を迅速に行うことができる。
【００２７】
なお、本実施例では係止片１３を６角形とし、カム片１５を正６角形としたが、係止片１３を５角形、７角形あるいは８角形とし、対応するカム片１５を正５角形、正７角形あるいは正８角形とすることも可能である。ただし、本実施例のように一対の板バネ１７をカム片１５の対向する辺に圧接させる場合、角数は偶数が好ましい。偶数ならば一対の板バネ１７が平行に配置されるので、板バネ１７の弾力に抗して係止片１３を回転操作するとき操作が円滑になる。
【００２８】
また、本実施例では第１ベースプレート１１を上枠３３に固定し、その第１ベースプレー１１トに第２ベースプレート１２を固着して後傾角度調整装置１０を上枠３３に取り付けたが、第１ベースプレート１１を省略して第２ベースプレート１２を直接上枠３３に固定してもよい。ちなみに遊技機４０の裏面上端部にスペーサが取り付けられている機種では第１プレート１１を使用し、この場合、後傾角度は「４．５Ｓ」、「４．０Ｓ」のように表記に「Ｓ」が付加されている辺から選択する。これに対し、スペーサの取り付けられていない遊技機４０では第２ベースプレート１２を直接上枠に固定し、「Ｓ」の表記が付いていない辺から後傾角度を選択する。
【００２９】
また、本実施例では後傾角度調整装置１０を遊技機島の上枠に取り付けたが、下枠に取り付けて使用することも可能である。
【００３０】
本発明の第２実施例に係る後傾角度調整装置５０を図５及び図６に示す。当該後傾角度調整装置５０はベースプレート５１と６角形の係止片５２を備えている。
【００３１】
ベースプレート５２は第１実施例における第２ベースプレート１２に相当するもので、支持軸５３の一端が溶接されて垂下している。また、両縁にそって通孔５１ａが形成されている。さらに、支持軸５３の周囲に凹部となる小径通孔５１ｂが６箇所に形成されている。これら小径通孔５１ｂはいずれも支持軸５３から等距離にあり各小径通孔５１ｂを結ぶ直線によって正６角形が区画されるように配置されている。
【００３２】
係止片５２は第１実施例における係止片１３に相当するものであり、第１実施例の係止片１３と同じ外形及び寸法を有し、支持軸５３が貫通する中心孔５２ａが形成されている。また、中心孔５２ａの両側に２個一対の収納穴５２ｂが形成されている。収納穴５２ｂは鋼製ボール５４とコイルスプリング５５を収納するために設けられている。また、中心孔５２ａと収納穴５２ｂの間隔は支持軸５３と小径通孔５１ｂの間隔と同じに設定されている。
【００３３】
ベースプレート５１と係止片５２の構造は以上の通りであって、後傾角度調整装置５０は以下の手順で組み立てられる。まず、収納孔５２ｂにボール５４とコイルスプリング５５を収納し、支持軸５３を中心孔に挿通する。そして、クリップ５６を支持軸５３の先端部に装着し、係止片５２を支持軸５３に回転可能に、かつ脱落しないように組み付ける。
【００３４】
第２実施例に係る後傾角度調整装置５０の構造は以上の通りであって、第１実施例の後傾角度調整装置１０と同じように遊技機島の上枠にベースプレートを固定して使用する。
【００３５】
第２実施例に係る後傾角度調整装置５０は、係止片５２を回転操作するとボール５４が係止片５２とともに回動して小径通孔５１ｂの一つに嵌合し、これにより係止片５２の回転位置が位置決めされる。第１実施例に係る後傾角度調整装置１０ではカム片１５と板バネ１７の作用で係止片１３を位置決めしているが、本実施例ではボール５４とコイルスプリング５５からなる簡素な構成で、係止片５２の回転位置を正確に位置決めできる。
【００３６】
本発明の第３実施例に係る後傾角度調整装置６０を図７〜図９に示す。図１に示すように第１実施例や第２実施例に係る後傾角度調整装置１０，５０は遊技機４０の裏面上端部に係止片１３，５２を当接させて、遊技機４０の後傾角度を調整するが、遊技機の一形式として図９に示すように、その裏面上端部の左右の角隅に切欠部７０ａを形成した遊技機７０が市場に供されている。第３実施例に係る後傾角度調整装置６０は通常の遊技機４０だけでなく、図９に示す遊技機７０にも適用可能な後傾角度調整装置６０に関する。
【００３７】
第３実施例に係る後傾角度調整装置６０における係止片５２の外形、寸法は第１実施例及び第２実施例の係止片１３，５２と同じである。しかし第３実施例に係る後傾角度調整装置６０の係止片５２にはその外周部に蟻溝５２ｃが形成されている点、及び外形が長方形の補助係止片５７を備えている点で相違する。この補助係止片５７の一端には係止片５２の蟻溝５２ｃに着脱可能に嵌合する嵌合凸条５７ａが設けられている。以上の相違点を除き、他の構成は第２実施例に係る後傾角度調整装置５０と同じであるので、同一の構成要素には同一の符号を付して説明を省略する。
【００３８】
第３実施例に係る後傾角度調整装置６０を使って図９に示すように、遊技機７０の裏面上端部の角隅に切欠部７０ａが設けられた遊技機７０の後傾角度を調整するには、係止片５２の６辺のいずれか１辺の蟻溝５２ｃに補助係止片５７を嵌着し、補助係止片５７の先端面を切欠部７０ａの内面に当接させる。一方、切欠部７０ａのない通常の遊技機４０の後傾角度を調整するには、補助係止片５７を係止片５２から取り外して使用する。
【図面の簡単な説明】
【００３９】
【図１】本発明の第１実施例に係る遊技機の後傾角度調整装置を用いて遊技機島に設置した遊技機を示す側面図である。
【図２】同後傾角度調整装置を示す側面図である。
【図３】同後傾角度調整装置を示す分解斜視図である。
【図４】同後傾角度調整装置の第２ベースプレートとカム片及び係止片を示す正面図である。
【図５】本発明の第２実施例に係る後傾角度調整装置を示す分解斜視図である。
【図６】同後傾角度調整装置を示す断面図である。
【図７】本発明の第３実施例に係る後傾角度調整装置を示す分解斜視図である。
【図８】同後傾角度調整装置を示す断面図である。
【図９】同後傾角度調整装置の使用方法を示す説明図である。
【符号の説明】
【００４０】
１０，５０，６０…遊技機の後傾角度調整装置
１２…ベースプレート
１３，５２，…係止片
１４…ボルト（支持軸）
１５…カム片
１７…板バネ
３０…遊技機島
３１…下枠
３３…上枠
４０，７０…遊技機
５１…ベースプレート
５１ｂ…小径通孔（凹部）
５２…係止片
５２ｂ…収納穴
５２ｂ…蟻溝
５３…支持軸
５４…ボール
５５…コイルスプリング
５７…補助係止片
【図１】
2008100015.tif 000003
【図２】
2008100015.tif 000004
【図３】
2008100015.tif 000005
【図４】
2008100015.tif 000006
【図５】
2008100015.tif 000007
【図６】
2008100015.tif 000008
【図７】
2008100015.tif 000009
【図８】
2008100015.tif 000010
【図９】
2008100015.tif 000011